(57)【要約】【課題】枠および化粧カバーの取付部分の破損を防止しながら、サイズの増加を抑制する技術を提供する。【解決手段】スイッチ用カバー４０は、枠６を取付可能である。突出部４８は、枠６を取り付けるための取付面４６から突出して、前面にスイッチ操作部が設けられる。第１壁部５２、第２壁部５４、第３壁部５６は、取付面４６に立設されて、枠６に設けられた突起部が挿入される第１穴部５８、第２穴部６０、第３穴部６２を有する。第１突状爪部７６、第２突状爪部７８は、第１壁部５２、第３壁部５６に対向する突出側面５０において、スイッチ操作部を覆うための化粧カバー８を係止するために設けられる。【選択図】図４
2015176649.tif 000002
【特許請求の範囲】
【請求項１】
枠を取付可能なスイッチ用のカバーであって、
前記枠を取り付けるための取付面から突出して、前面にスイッチ操作部が設けられた突出部と、
前記取付面に立設されて、前記枠に設けられた突起部が挿入される穴部を有する壁部とを備え、
前記壁部に対向する前記突出部の側面において、前記スイッチ操作部を覆うための化粧カバーを係止するための係止部が設けられることを特徴とするスイッチ用カバー。
【請求項２】
前記壁部の両端部から前記突出部の側面に延びる一対の連結壁部が形成され、
前記係止部は、前記壁部および前記一対の連結壁部によって取り囲まれることを特徴とする請求項１に記載のスイッチ用カバー。
【請求項３】
前記係止部は、前記化粧カバーに形成された被係止部である弾性片を係止するための突状爪部であることを特徴とする請求項１または２に記載のスイッチ用カバー。
【請求項４】
前記係止部は、前記枠に設けられた前記突起部が前記穴部に挿入された場合に、本スイッチ用カバーを前面から見て、前記突起部からずれた位置に設けられることを特徴とする請求項１から３のいずれか１項に記載のスイッチ用カバー。
【請求項５】
請求項１から４のいずれか１項に記載のスイッチ用カバーと、
前記スイッチ用カバーに結合され、スイッチ本体が実装されたプリント配線板を収納するボディと、
を備えることを特徴とする操作端末器。
【発明の詳細な説明】
【技術分野】
【０００１】
本発明は、スイッチ用カバーに関し、特に枠を取付可能なスイッチ用カバー、操作端末器に関する。
【背景技術】
【０００２】
遠隔監視制御システムでは、複数の操作端末器および複数の制御端末器が、時分割多重接続方式で２線式の信号線を介して伝送処理装置に接続される。操作端末器は、スイッチを備え、このスイッチの操作により発生した割込信号を伝送処理装置に伝送し、制御端末器は、伝送処理装置を介して信号を受け取ると、スイッチの操作に対応させて負荷を制御する。ここで、操作端末器のカバーには、取付枠に対する取付手段である係止爪が両端縁から２対突設されており、これらの係止爪によって、カバーは、既製の配線器具を壁面に埋設する場合に用いられる取付枠に着脱自在に取付可能である。さらに、カバーの前面には、化粧カバーが取り付けられる（例えば、特許文献１参照）。
【先行技術文献】
【特許文献】
【０００３】
【特許文献１】特開２０００−１８８７９３号公報
【発明の概要】
【発明が解決しようとする課題】
【０００４】
操作端末器の耐用年数を増加させるために、取付枠とカバーとの取付部分、化粧カバーとカバーと取付部分の破損を防止することが望まれる。これに対応するために、破損を防止するための構成を追加すると、カバーのサイズが増加する。一方、カバーのサイズの増加による操作端末器のサイズの増加は望まれない。
【０００５】
本発明はこうした状況に鑑みてなされたものであり、その目的は、枠および化粧カバーの取付部分の破損を防止しながら、サイズの増加を抑制する技術を提供することにある。
【課題を解決するための手段】
【０００６】
上記課題を解決するために、本発明のある態様のスイッチ用カバーは、枠を取付可能なスイッチ用のカバーであって、枠を取り付けるための取付面から突出して、前面にスイッチ操作部が設けられた突出部と、取付面に立設されて、枠に設けられた突起部が挿入される穴部を有する壁部とを備える。壁部に対向する突出部の側面において、スイッチ操作部を覆うための化粧カバーを係止するための係止部が設けられる。
【０００７】
壁部の両端部から突出部の側面に延びる一対の連結壁部が形成され、係止部は、壁部および一対の連結壁部によって取り囲まれる。
【０００８】
係止部は、化粧カバーに形成された被係止部である弾性片を係止するための突状爪部であってもよい。
【０００９】
係止部は、枠に設けられた突起部が穴部に挿入された場合に、本スイッチ用カバーを前面から見て、突起部からずれた位置に設けられてもよい。
【００１０】
本発明のさらに別の態様は、操作端末器である。この操作端末器は、スイッチ用カバーと、スイッチ用カバーに結合され、スイッチ本体が実装されたプリント配線板を収納するボディと、を備えてもよい。
【発明の効果】
【００１１】
本発明によれば、枠および化粧カバーの取付部分の破損を防止しながら、サイズの増加を抑制できる。
【図面の簡単な説明】
【００１２】
【図１】本発明の実施例１に係る遠隔監視制御システムの構成を示す図である。
【図２】図２（ａ）−（ｃ）は、図１の遠隔監視制御システムにおける伝送信号を示す図である。
【図３】図１の操作端末器の構成を示す図である。
【図４】図１の操作端末器を示す分解斜視図である。
【図５】図１の操作端末器を示す正面図である。
【図６】図１のスイッチ用カバーを示す正面図である。
【図７】図１のスイッチ用カバーを示す側面図である。
【図８】図１のスイッチ用カバーを示す裏面図である。
【図９】図１のスイッチ用カバーを示す断面図である。
【図１０】図１のスイッチ用カバーの一部を示す斜視図である。
【図１１】図１のスイッチ用カバーの一部を示す断面図である。
【図１２】図１の枠を示す正面図である。
【図１３】図１のスイッチ用カバーに化粧カバーが取り付けられた状態を示す斜視図である。
【図１４】図１のスイッチ用カバーに、化粧カバーと枠とが取り付けられた状態を示す斜視図である。
【図１５】本発明の実施例２に係るスイッチ用カバーを示す斜視図である。
【図１６】図１５のスイッチ用カバーの一部を示す断面図である。
【図１７】本発明の実施例３の比較対象となるスイッチ用カバーを示す斜視図である。
【図１８】図１７のスイッチ用カバーの一部を示す断面図である。
【図１９】本発明の実施例３に係るスイッチ用カバーを示す斜視図である。
【図２０】図１９のスイッチ用カバーの一部を示す断面図である。
【発明を実施するための形態】
【００１３】
（実施例１）
本発明の実施例１を具体的に説明する前に、基礎となった知見を説明する。本発明の実施例１は、遠隔監視制御システムに含まれる操作端末器のスイッチ用カバーに関する。スイッチ用カバーには、枠と化粧カバーとが取り付けられる。枠が汎用品である場合、スイッチ用カバーのサイズは、枠のサイズに制限される。また、前述のごとく、操作端末器の耐用年数を増加させるためには、取付部分の破損の防止が必要になる。破損を防止させるための構成をスイッチ用カバーに追加することによって、スイッチ用カバーのサイズが大きくなってしまうと、枠の取付ができなくなる。そのため、取付部分には、破損の防止機能を持たせ、かつ効率的に配置することが要求される。以上の背景のもと、本実施例に係るスイッチ用カバーは以下のように構成される。
【００１４】
図１は、本発明の実施例１に係る遠隔監視制御システム５００の構成を示す。遠隔監視制御システム５００は、操作端末器５１０と総称される第１操作端末器５１０ａ、第２操作端末器５１０ｂ、制御端末器５１２と総称される第１制御端末器５１２ａ、第２制御端末器５１２ｂ、伝送制御装置５１４を含む。ここでは、一例として、２台の操作端末器５１０と２台の制御端末器５１２が含まれているが、これらの台数は、「２」に限定されない。また、操作端末器５１０、制御端末器５１２は、２線式の信号線Ｌｓを介して伝送制御装置５１４に接続される。
【００１５】
各操作端末器５１０は、前方からの押力により押操作されるスイッチを少なくとも１個備える。各制御端末器５１２は、照明器具あるいは換気扇などの負荷（図示せず）への給電路に挿入されたリレー（図示せず）を少なくとも１個有し、このリレーのオンオフを切りかえることによって、負荷をオンオフ制御する。各操作端末器５１０のスイッチと各リレーとには、それぞれ個別のアドレスが設定される。遠隔監視制御システム５００において使用可能なアドレスは、例えば、０〜６３の番号が付された６４個のチャンネルのそれぞれに、１〜４の番号が付された４回路が配置されると、計２５６個になる。アドレスは、チャンネル番号と回路番号との組合せから例えば６３−３のように示される。
【００１６】
伝送制御装置５１４は、信号線Ｌｓに伝送信号Ｖｓを送出する。図２（ａ）−（ｃ）は、遠隔監視制御システム５００における伝送信号を示す。ここで、図２（ａ）は、伝送信号Ｖｓのフォーマットを示す。伝送信号Ｖｓでは、信号送出開始を示す同期信号ＳＹ、伝送信号Ｖｓのモードを示すモードデータＭＤ、操作端末器５１０あるいは制御端末器５１２を個別に呼び出すためのアドレスデータＡＤ、負荷を制御する制御データＣＤが時分割多重される。また、伝送信号Ｖｓでは、これらに加えて、伝送誤りを検出するためのチェックサムデータＣＳ、操作端末器５１０あるいは制御端末器５１２からの返信信号（監視データ）を受信するタイムスロットである信号返信期間ＷＴも時分割多重される。
【００１７】
図２（ｂ）は、伝送信号Ｖｓの波形の一例を示す。伝送信号Ｖｓは、双極性（±２４Ｖ）の信号であり、パルス幅変調によって生成される。各操作端末器５１０および各制御端末器５１２では、信号線Ｌｓを介して受信した伝送信号Ｖｓにより伝送されたアドレスデータＡＤが、予め設定されているアドレスに一致すると、伝送信号Ｖｓから制御データＣＤを取り込む。また、各操作端末器５１０および各制御端末器５１２は、伝送信号Ｖｓの信号返信期間ＷＴに監視データを電流モード信号として返信する。電流モード信号とは、信号線Ｌｓを適当な低インピーダンスを介して短絡することにより送出される信号である。図１に戻る。
【００１８】
伝送制御装置５１４は、操作端末器５１０あるいは制御端末器５１２にデータを送出する場合、モードデータＭＤを制御モードとし、操作端末器５１０あるいは制御端末器５１２のアドレスをアドレスデータＡＤとする伝送信号Ｖｓを信号線Ｌｓに送出する。アドレスデータＡＤに一致する操作端末器５１０あるいは制御端末器５１２は、制御データＣＤを受け取り、信号返信期間ＷＴに監視データを返信する。伝送制御装置５１４は、送出した制御データＣＤと、信号返信期間ＷＴに受信した監視データとの関係によって、制御データＣＤが所望の操作端末器５１０あるいは制御端末器５１２に伝送されたことを確認する。制御端末器５１２は、受け取った制御データＣＤにしたがって負荷Ｌを制御するための負荷制御信号を出力し、操作端末器５１０は、受け取った制御データＣＤにしたがって負荷Ｌの動作確認表示を行なうための表示信号を出力する。
【００１９】
一方、伝送制御装置５１４は、通常の場合、つまりデータを送出しない場合、モードデータＭＤをダミーモードとした伝送信号Ｖｓを一定時間間隔で送出する。これは、常時ポーリングと呼ばれる。この場合、伝送制御装置５１４は、ある制御端末器５１２にアクセスして、負荷状態を示す監視データの返信を要求し、アクセスされた制御端末器５１２は、接続している負荷状態を監視データとして伝送制御装置５１４に返信する。この返信を受け取った伝送制御装置５１４は、その制御端末器５１２に対応関係がある操作端末器５１０のアドレスにアクセスして、対応する制御端末器５１２に接続されている負荷の状態を表示させるための制御データＣＤを伝送する。このようにして常時ポーリングでは、制御端末器５１２と、この制御端末器５１２に対応関係を持つ操作端末器５１０とのアドレスにアクセスする動作がサイクリックに繰り返される。
【００２０】
常時ポーリング下において、操作端末器５１０は、伝送制御装置５１４に対して何らかの情報を伝送する場合、ダミーモードの伝送信号Ｖｓの同期信号ＳＹに同期させて、割込信号Ｖｉを発生させる。図２（ｃ）は、割込信号Ｖｉの波形の一例を示す。割込信号Ｖｉは、パルス状の信号である。図１に戻る。操作端末器５１０は、割込フラグを設定して伝送制御装置５１４との以後の情報授受に備える。伝送制御装置５１４は、割込信号Ｖｉを受信すると、モードデータＭＤを割込ポーリングモードとし、かつアドレスデータＡＤの上位の半数のビット（アドレスデータＡＤを８ビットとすれば上位４ビット）を順次増加させながら伝送信号を送出する。一方、操作端末器５１０は、割込ポーリングモードの伝送信号のアドレスデータＡＤの上位４ビットが操作端末器５１０に設定されているアドレスの上位４ビットに一致する場合に、信号返信期間ＷＴにアドレスの下位４ビットを伝送制御装置５１４に返信する。このように、伝送制御装置５１４は、割込信号Ｖｉを発生した操作端末器５１０を１６個ずつまとめて探すので、比較的短い時間で操作端末器５１０を発見できる。
【００２１】
伝送制御装置５１４は、割込信号Ｖｉを発生した操作端末器５１０のアドレスを獲得すると、モードデータＭＤを監視モードとし、獲得したアドレスデータＡＤを持つ伝送信号Ｖｓを信号線Ｌｓに送出する。この伝送信号Ｖｓに対して操作端末器５１０は、伝送しようとする情報を信号返信期間ＷＴに返信する。最後に、伝送制御装置５１４は、割込信号Ｖｉを発生した操作端末器５１０に対して割込リセットを指示する信号を送出し、操作端末器５１０の割込フラグを解除する。以上のようにして、操作端末器５１０から伝送制御装置５１４への情報伝送は、伝送制御装置５１４から操作端末器５１０への４回の信号伝送（ダミーモード、割込ポーリングモード、監視モード、割込リセット）によって完了する。伝送制御装置５１４が所望の制御端末器５１２の動作状態を知ろうとする場合には、モードデータＭＤを監視モードとした伝送信号を送出するだけでよい。
【００２２】
いずれかの制御スイッチが押操作されると、操作端末器５１０は、押操作された制御スイッチに設定されたアドレスの情報を含む監視データを伝送制御装置５１４に返信する。伝送制御装置５１４は、この監視データに基づいて生成した制御データＣＤを含む伝送信号Ｖｓを制御端末器５１２に伝送し、制御端末器５１２は、伝送された伝送信号Ｖｓ中の制御データＣＤに応じて負荷を制御する。また、負荷を制御した制御端末器５１２は、監視データを伝送制御装置５１４に返信し、伝送制御装置５１４は、返信された監視データをもとに動作状態表示のための制御データＣＤを含む伝送信号Ｖｓを生成して操作端末器５１０に伝送する。この伝送信号Ｖｓによって操作端末器５１０では負荷の動作状態を表示するための点灯・消灯を実行する。
【００２３】
図３は、操作端末器５１０の構成を示す。操作端末器５１０は、通信部１７０、スイッチ本体１２、発光素子１４、制御部１７２、光通信部１７４を含む。通信部１７０は、信号線Ｌｓに接続されて、伝送信号Ｖｓの受信、割込信号Ｖｉおよび監視データの送信を実行する。スイッチ本体１２は、押釦スイッチであり、前述のごとく、個別にアドレスが設定されて制御スイッチを構成する。なお、図３では、１つのスイッチ本体１２を示しているが、操作端末器５１０には、複数のスイッチ本体１２、例えば４個のスイッチ本体１２が備えられてもよい。
【００２４】
発光素子１４は、例えば発光ダイオードによって構成され、負荷の動作状態を発光状態によって表示する。図３では、１つの発光素子１４を示しているが、１個のスイッチ本体１２に対応して複数の発光素子１４、例えば２個の発光素子１４が設けられてもよく、前述の場合は、８個の発光素子１４が設けられてもよい。制御部１７２は、通信部１７０に受信された伝送信号Ｖｓ、スイッチ本体１２に受け付けられた操作入力に応じて、通信部１７０と各発光素子１４とをそれぞれ制御する。
【００２５】
光通信部１７４は、スイッチ本体１２のアドレスを設定するためのアドレス設定器（図示せず）との間で例えば赤外光を媒体とする光信号を送受信する。制御部１７２は、各スイッチ本体１２のアドレスが格納されるメモリ（図示せず）を有する。制御部１７２は、スイッチ本体１２のアドレスを指示する光信号が光通信部１７４に受信された場合、該光信号に応じて、上記メモリに格納された各スイッチ本体１２のアドレスを書きかえる。つまり、制御部１７２には、光通信部１７４への光信号によって各スイッチ本体１２のアドレスがそれぞれ設定される。
【００２６】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００２７】
図４は、操作端末器５１０を示す分解斜視図である。以下、上下方向は図４を基準とし、図４の左上−右下方向を左右方向と呼び、図４の左下−右上方向を前後方向と呼ぶ。つまり、前から順に、化粧カバー８、枠６、スイッチ用カバー４０、回路ブロック２、ボディ２０が並べられている。また、図５は、操作端末器５１０を示す正面図である。これは、組み立てられた操作端末器５１０を前方から見た場合を示す。図４に戻る。
【００２８】
回路ブロック２は、スイッチ本体１２、発光素子１４、受発光部１６がプリント配線板１０の前方側に実装されることによって、構成されている。なお、通信部１７０および制御部１７２は、それぞれ周知技術によって実現可能であるので、詳細な図示および説明は省略する。また、光通信部１７４も周知技術で実現可能であるので、詳細な図示および説明は省略する。光通信部１７４に含まれた受発光部１６は、例えば赤外光を媒体とする光信号を送信する通信用発光素子と、光信号を電気信号に変換する受光素子との組合せである。受発光部１６は、回路ブロック２において、４個のスイッチ本体１２よりも上方部分に配置される。
【００２９】
スイッチ本体１２は、上下方向に４個直線状に並べて配置される。ここで、各スイッチ本体１２について、対応する２個の発光素子１４が、スイッチ本体１２の上方に、かつ左右に離間して設けられる。また、スイッチ本体１２の左側の発光素子１４の光色が緑色であり、スイッチ本体１２の右側の発光素子１４の光色が赤色であるように、２個の発光素子１４の光色が互いに異なっている。図示しない制御部１７２は、例えば、スイッチ本体１２に関係付けられた負荷がオン状態である期間に、該スイッチ本体１２に対応する右側の発光素子１４を点灯させ、左側の発光素子１４を消灯させる。一方、制御部１７２は、スイッチ本体１２に関係付けられた負荷がオフ状態である期間に、該スイッチ本体１２に対応する右側の発光素子１４を消灯させ、左側の発光素子１４を点灯させる。
【００３０】
ハウジング４は、プリント配線板１０を収納する。ハウジング４は、前面が開口した直方体形状のボディ２０と、ボディ２０の前面の開口を閉塞する形でボディ２０に機械的に結合するスイッチ用カバー４０とを備える。また、スイッチ用カバー４０は、枠６を取付可能である。ボディ２０とスイッチ用カバー４０とは、例えば合成樹脂成型品からなる。ボディ２０の左右の壁には、それぞれ上下方向に離間した位置に結合片２２が前方へ突設され、各結合片２２には、それぞれ上下方向に長い結合穴２４が貫設されている。また、スイッチ用カバー４０の左右の両側面には、それぞれ上下方向に離間した位置に結合溝４２が設けられ、各結合溝４２の底面にはそれぞれ上下方向に長い結合爪４４が左右方向の外向きに突設されている。このような構成において、各結合溝４２にそれぞれ結合片２２が導入され、かつ結合爪４４が結合穴２４に係入することによって、ボディ２０とスイッチ用カバー４０とが機械的に結合する。
【００３１】
ボディ２０の底面の上部には一対のねじ端子２６が保持され、各ねじ端子２６には後側から一対の信号線Ｌｓのうちの１つが接続される。さらに、各ねじ端子２６には、一端が通信部１７０に接続された電線（図示せず）が、前側から接続される。つまり、通信部１７０は、電線とねじ端子２６とを介して信号線Ｌｓに接続される。各ねじ端子２６は、ねじ穴が貫設されてボディ２０に嵌合される端子板２８と、端子板２８のねじ穴に螺合する端子ねじ３０とからなる。端子ねじ３０においては、端子板２８との間に信号線Ｌｓを挟持する座金が一体化されている。
【００３２】
スイッチ用カバー４０の外形を説明するために、図４に加えて、図６、図７もあわせて使用する。図６は、スイッチ用カバー４０を示す正面図であり、図７は、スイッチ用カバー４０を示す側面図である。スイッチ用カバー４０の左右の両側のそれぞれには、枠６を取り付けるための取付面４６が設けられる。突出部４８は、スイッチ用カバー４０において２つの取付面４６に挟まれた部分であり、取付面４６から前方に突出して設けられる。そのため、スイッチ用カバー４０を上方から見ると、突出部４８と２つの取付面４６とによって、スイッチ用カバー４０は、略凸型の形状を有している。
【００３３】
左右の取付面４６のそれぞれに、第１壁部５２、第２壁部５４、第３壁部５６が上下方向に並べて立設される。ここで、第１壁部５２、第２壁部５４、第３壁部５６における突出部４８側の面が、突出部４８の突出側面５０に対向する。また、第１壁部５２、第２壁部５４、第３壁部５６の前後方向の長さは、突出側面５０の前後方向の長さの半分よりも長くなるように設計される。
【００３４】
第１壁部５２における突出部４８側の面の反対面には、第１穴部５８が設けられる。第１穴部５８は、上下方向に長い形状を有する。第１穴部５８には、後述する枠６に設けられた突状部１２４あるいは突起部１２６が挿入され、突状部１２４あるいは突起部１２６が係止される。なお、左側の第１壁部５２における第１穴部５８には、突状部１２４が挿入され、右側の第１壁部５２における第１穴部５８には、突起部１２６が挿入される。第２穴部６０は、第２壁部５４に対して同様に形成され、第３穴部６２は、第３壁部５６に対して同様に形成される。第１穴部５８、第２穴部６０、第３穴部６２は、枠６に設けられた突状部１２４および突起部１２６の上下方向の位置に合わせて配置される。
【００３５】
第１連結壁部６４、第２連結壁部６６は、取付面４６上において第１壁部５２の両端部から突出側面５０に延びるように形成される。具体的には、第１連結壁部６４は、第１壁部５２の上端部から突出側面５０へ延設され、第２連結壁部６６は、第１壁部５２の下端部から突出側面５０へ延設される。第１連結壁部６４、第２連結壁部６６の前後方向の長さは、第１壁部５２の前後方向の長さ以下になるように設計される。第３連結壁部６８、第４連結壁部７０は、第２壁部５４に対して同様に形成され、第５連結壁部７２、第６連結壁部７４は、第３壁部５６に対して同様に形成される。
【００３６】
第１突状爪部７６は、第１壁部５２に対向する突出側面５０に外向きに突設される。さらに、第１突状爪部７６は、スイッチ用カバー４０を前方から見た場合に、第１連結壁部６４、第１壁部５２、第２連結壁部６６によって取り囲まれる。このように、突出側面５０、第１連結壁部６４、第１壁部５２、第２連結壁部６６に取り囲まれた上下方向に長い空間において、第１突状爪部７６は、突出側面５０の中央よりも下方部分に位置する。さらに、第１突状爪部７６は、スイッチ用カバー４０の側面において、第１壁部５２の前側縁から一部が露出して配置される。
【００３７】
第１突状爪部７６は、後述する化粧カバー８を係止するために設けられる。具体的に説明すると、第１突状爪部７６は、化粧カバー８の被係止部である弾性片１４８を係止する。第１突状爪部７６と弾性片１４８の係止部分は、第１連結壁部６４、第１壁部５２、第２連結壁部６６に取り囲まれているので、左右方向および上下方向からの衝撃を受けても、弾性片１４８あるいは弾性片１４８の破損が抑制される。第１連結壁部６４、第１壁部５２、第２連結壁部６６は、第１突状爪部７６と弾性片１４８とを防護し、さらに、第１穴部５８によって突状部１２４あるいは突起部１２６を係止する。このように、第１連結壁部６４、第１壁部５２、第２連結壁部６６は、２つの機能を有しており、効率的な配置がなされている。
【００３８】
第２突状爪部７８は、第３壁部５６に対向した突出側面５０に設けられる。しかしながら、第２突状爪部７８は、第１突状爪部７６とは異なって、突出側面５０、第５連結壁部７２、第３壁部５６、第６連結壁部７４に取り囲まれた上下方向に長い空間において、突出側面５０の中央部分に位置する。このような違いは、化粧カバー８の上下方向に並べられた弾性片１４８の位置に、第１突状爪部７６および第２突状爪部７８を合わせるために生じている。なお、弾性片１４８は、上下方向に２つ並べられているだけであるので、第２壁部５４に対向した突出側面５０には、突状爪部が設けられていない。
【００３９】
突出部４８には、４つの開口８６が上下方向に並べて配置される。ここで、スイッチ用カバー４０に設けられた押釦ハンドル８８を説明するために、図４、図６、図７に加えて、図８、図９、図１０もあわせて使用する。図８は、スイッチ用カバー４０を示す裏面図であり、図９は、図８に示すＡ−Ａ’方向の断面図であり、図１０は、スイッチ用カバー４０の一部を示す斜視図である。４つの開口８６付近の構成は共通であるので、図１０では、１つの開口８６のみを示す。開口８６は、突出部４８に設けられた開口縁部９８によって形成されており、左右方向に長い長方形状を有する。開口縁部９８は、開口８６の外周に一致した内周と、当該内周を囲む外周とを有し、内周と外周とに挟まれた領域を有する。図１０においては、説明を明りょうにするために、開口縁部９８を斜線部分にて示す。また、開口縁部９８は、図１０において斜線が示されたスイッチ用カバー４０の面の裏側の面にも、斜線部分と同等の領域を有する。さらに、開口縁部９８は、突出部４８の両面のそれぞれに設けられた領域に挟まれた側面の領域も有する。
【００４０】
各開口８６には、押釦ハンドル８８が配置される。そのため、４つの押釦ハンドル８８は、突出部４８の前面に上下方向に並べて配置される。なお、４つの押釦ハンドル８８は、図９のごとく、スイッチ操作部９６と総称されるので、突出部４８の前面に、スイッチ操作部９６が設けられるともいえる。また、押釦ハンドル８８は、合成樹脂成型品のような弾性を有する材料からなる。各押釦ハンドル８８は、前方から見て左右方向に長い長方形状であって、前面が突出部４８よりも前方へ突出する。また、押釦ハンドル８８の前面には、左右方向の中央部が左右方向の両端部よりも後方に窪んだ凹部が設けられている。
【００４１】
前述のごとく、開口８６は長方形状に形成されているので、開口縁部９８は、上下左右の４つの棒状の領域の組合せによって形成される。図１０に示すように、４つの棒状の領域のうち、上側の領域が第１縁部１００と定義され、下側の領域が第２縁部１０２と定義される。第１縁部１００と第２縁部１０２とは、互いに対向して配置される。第１アーム９０は、第１縁部１００の側面から延設されて押釦ハンドル８８に連結される。第１アーム９０は、クランク形状を有する。クランク形状とは、直線運動を回転運動に変換させる機構であるクランクに似た形状であり、例えば、直線の一端がほぼ垂直な方向へ屈曲し、直線の他端がほぼ垂直な別の方向へ屈曲する形状である。なお、クランク形状とは、特定の１形状を意味するものではなく、連続的な曲がりを有する場合も含み、例えば、Ｓ字形状等滑らかな曲がりも含む。また、ほぼ垂直とは、完全な直角を意味するのではなく、実質的に直角と認められる程度を意味する。
【００４２】
そのため、第１アーム９０は、第１縁部１００における押釦ハンドル８８の右端よりも右側の部分からほぼ垂直に下方へ延びてから、ほぼ垂直に左方向に屈曲し、第１縁部１００および押釦ハンドル８８の上縁の間をそれらに沿って延びる。さらに、第１アーム９０は、押釦ハンドル８８の左端よりも右側の部分でほぼ垂直に下方に屈曲し、押釦ハンドル８８の上縁に到達する。このように、第１アーム９０は、第１縁部１００から押釦ハンドル８８までの間を迂回することによって、押釦ハンドル８８の上縁と第１縁部１００との最短距離よりも長くなる形状を有する。その結果、第１アーム９０の弾性力が増加し、押釦ハンドル８８を押操作する際の操作感覚が改善される。
【００４３】
第２アーム９２は、第２縁部１０２と押釦ハンドル８８との間で、押釦ハンドル８８の前面の中心を軸として、第１アーム９０の略回転対称となる位置に配置される。略回転対称とは、完全な回転対称ではなくても、誤差の範囲でずれる程度も含まれることを意味する。なお、第１アーム９０、第２アーム９２は、ヒンジと呼ばれてもよい。さらに、開口縁部９８、押釦ハンドル８８、第１アーム９０、第２アーム９２は、一体成形されている。
【００４４】
押釦ハンドル８８は、スイッチ本体１２の前側に位置して、前方からの押力をスイッチ本体１２に伝達する。そのため、押釦ハンドル８８は、スイッチ本体１２と１対１で対応する。押釦ハンドル８８の構成をさらに詳しく説明するために、図１１も使用する。図１１は、スイッチ用カバー４０の一部を示すＢ−Ｂ’方向の断面図である。押圧部９４は、押釦ハンドル８８の後面の中央部から後方に突設され、スイッチ本体１２に対向する。このように開口縁部９８、押釦ハンドル８８、第１アーム９０、第２アーム９２が構成されることによって、押釦ハンドル８８の前面が押操作されると、第１アーム９０および第２アーム９２が弾性変形して、押釦ハンドル８８が後方へ変位する。その際、第１アーム９０および第２アーム９２の弾性変形は、ほぼ均等になされるので、押釦ハンドル８８がまっすぐ後方に移動しやすくなる。このことによっても、操作感覚が改善される。
【００４５】
突出部４８の上端部において左右方向の中央には、窓穴８０が前後方向に貫設されている。窓穴８０は、左右方向に長い長方形状を有する。窓穴８０の後側の開口の周囲には、信号用隔壁８２が後方へ突設されており、その後側には、受発光部１６が位置する。受発光部１６には窓穴８０を通じて光信号が入射する。
【００４６】
突出部４８において、左右方向に並べられた２個の第１導光部８４が各開口８６の上側に配置されており、８個の第１導光部８４が貫設されている。特に、最上段の２個の第１導光部８４は、窓穴８０を挟んで配置される。各第１導光部８４は、発光素子１４と１対１で対応づけられており、第１導光部８４の後側に発光素子１４が位置する。発光素子１４から照射された光は、第１導光部８４を通じて前方へ出力される。
【００４７】
枠６は、例えば、ＪＩＳ Ｃ ８３７５に規定された大角形連用配線器具の取付枠であり、金属製である。なお、枠６は、ＪＩＳ Ｃ ８３７５とは異なった規格に適合してもよい。ここでは、図４に加えて、図１２も使用して枠６の構成を説明する。図１２は、枠６を示す正面図である。枠６の上下両端部には、ボディ２０よりも上下方向の外側に突出して、壁面等の施工面（図示せず）へのハウジング４の固定に用いられる取付部１１０が設けられている。各取付部１１０において、中央部には、それぞれ左右方向に長い長穴形状であって、施工面に埋め込まれた埋込ボックス（図示せず）に螺合するボックスねじが挿通されるボックス穴１１２が貫設されている。
【００４８】
また、各取付部１１０においてボックス穴１１２の左右両側には、それぞれ、施工面がパネル材で形成されているときにパネル材を取付部１１０との間で挟持する挟み金具（図示せず）を引掛け係止するための引掛け穴１１４が貫設されている。さらに、各取付部１１０においてそれぞれボックス穴１１２よりも上下方向の外側となる位置には、それぞれプレート（図示せず）を取り付けるためのねじが挿通されるプレート穴１１６が貫設されている。さらに、各取付部１１０においてプレート穴１１６の左右両側には、それぞれ、施工面に螺合する直付け用のねじが挿通される直付け穴１１８が貫設されている。
【００４９】
枠本体１２０は、枠６の上下両端部に設けられた２つの取付部１１０の間に位置する。枠本体１２０は、上下方向に長い長方形状を有しており、中央部分に開口１２２を備える。開口１２２は、突出部４８、第１壁部５２、第２壁部５４、第３壁部５６、第１連結壁部６４、第２連結壁部６６、第３連結壁部６８、第４連結壁部７０、第５連結壁部７２、第６連結壁部７４を後方から挿入可能な大きさで形成されている。突出部４８等を開口１２２に挿入した場合、枠本体１２０は、取付面４６に載置される。
【００５０】
突状部１２４は、開口１２２での左側の側面に、上下方向に３個離間して突設される。突出部４８等を開口１２２に挿入した場合、３個の突状部１２４は、スイッチ用カバー４０の左側に設けられた第１穴部５８、第２穴部６０、第３穴部６２に挿入されて、突状部１２４と第１穴部５８、第２穴部６０、第３穴部６２とが係止される。
【００５１】
突起部１２６は、開口１２２での右側の側面に、上下方向に３個離間して突設される。特に、突起部１２６は、突状部１２４と１対１で正対する位置に配置される。図１２の場合、突起部１２６は、開口１２２での右側の側面から左方向に突出していない。このような状態で、突出部４８等が開口１２２に挿入される。挿入後、各突起部１２６の右側部分を左方向へ押圧すると、突起部１２６の左側部分が左方向へ突出する。突起部１２６が突出すると、３個の突起部１２６は、スイッチ用カバー４０の右側に設けられた第１穴部５８、第２穴部６０、第３穴部６２に挿入されて、３個の突起部１２６と第１穴部５８、第２穴部６０、第３穴部６２とが係止される。
【００５２】
ハウジング４の前側には、前方から見てボックス穴１１２の上下位置までを覆う長方形状の化粧カバー８が着脱自在に取り付けられる。化粧カバー８は、スイッチ操作部９６を覆うために、スイッチ用カバー４０の前側に被着されるカバー本体１４０と、カバー本体１４０から後方へ垂設された４個の弾性片１４８からなる。弾性片１４８は、前述のごとく被係止部であり、カバー本体１４０の左右両側に上下方向に２個離間して配置される。弾性片１４８、カバー本体１４０は、例えば合成樹脂成型品からなる。
【００５３】
カバー本体１４０において、第１導光部８４の前側となる部分には、第２導光部１４２が貫設されている。第２導光部１４２は、第１導光部８４と１対１で対応づけられているので、左右方向に並べられた２個の第２導光部１４２が、上下方向に４段並べられて配置されている。発光素子１４から照射された光は、第２導光部１４２を通じて前方へ出力される。また、カバー本体１４０の上端部において左右方向の中央であって、かつ窓穴８０の前側となる部分には、受発光部１６に入出力される光信号を通過させるように透明な材料で構成された信号用窓部１４４が設けられている。アドレス設定器によるアドレスの設定は、アドレス設定器が有する光通信部（図示せず）を、信号用窓部１４４に押し付けて行なわれる。
【００５４】
メンブレン１４６は、押釦ハンドル８８を覆設するために、カバー本体１４０において、押釦ハンドル８８の前側となる部分に設けられる。４個のメンブレン１４６は、上下方向に４段配置されている。このような構成によって、押釦ハンドル８８への押操作は、メンブレン１４６を介してなされる。
【００５５】
図１３は、スイッチ用カバー４０に化粧カバー８が取り付けられた状態を示す斜視図である。スイッチ用カバー４０の前方から、化粧カバー８をスイッチ用カバー４０へ近づけていく。カバー本体１４０の後側に垂設された弾性片１４８が、第１連結壁部６４、第１壁部５２、第２連結壁部６６で囲まれた凹部、第５連結壁部７２、第３壁部５６、第６連結壁部７４で囲まれた凹部に挿入される。凹部への挿入後、弾性片１４８は、第１突状爪部７６、第２突状爪部７８に係止される。これにより、スイッチ用カバー４０の前面が化粧カバー８によって覆われる。
【００５６】
図１４は、スイッチ用カバー４０に、化粧カバー８と枠とが取り付けられた状態を示す斜視図である。図１３のごとく、化粧カバー８が係止されたスイッチ用カバー４０が、枠６に設けられた開口１２２に、枠６の後方から挿入される。その際、枠６に突設された突状部１２４（図示せず）がスイッチ用カバー４０の左側の第１穴部５８、第２穴部６０、第３穴部６２（図示せず）に係止されて、枠６とスイッチ用カバー４０とが重ねられる。これに続いて、枠６に突設された突起部１２６がスイッチ用カバー４０の右側の第１穴部５８、第２穴部６０、第３穴部６２に係止される。図１４のように、枠６に設けられた突起部１２６が第１穴部５８、第３穴部６２に挿入された場合に、スイッチ用カバー４０を正面から見て、第１突状爪部７６、第２突状爪部７８は、突起部１２６からずれた位置に設けられる。つまり、上下方向において、第１穴部５８、第３穴部６２は、突起部１２６に干渉しない位置に配置される。
【００５７】
本発明の実施例によれば、スイッチ用カバーと押釦ハンドルとを一体成形する場合であっても、両者の間を２つのアームで連結するので、押釦ハンドルをまっすぐに押しやすくできる。また、押釦ハンドルがまっすぐに押しやすくなるので、押釦ハンドルの操作感覚を改善できる。また、互いに対向する縁部のそれぞれから２つのアームを延設させるので、押釦ハンドルを押圧する場合に２つのアームのそれぞれが受ける力を略均等にできる。また、２つのアームのそれぞれが受ける力が略均等になるので、押釦ハンドルをバランスよく押し下げることができる。また、押釦ハンドル、開口縁部、２つのアームを一体成形するので、組立て時間あるいは組立て工程数を短縮できる。また、押釦ハンドル、開口縁部、２つのアームを一体成形するので、組立てコストを低減できる。
【００５８】
２つのアームのそれぞれが、縁部から押釦ハンドルまでの間を迂回する形状を有するので、縁部から押釦ハンドルまでの最短距離よりも、各アームの長さを長くできる。また、各アームの長さが長くなるので、押釦ハンドルの押下げ幅を拡大できる。また、押釦ハンドルの押下げ幅が拡大するので、押釦ハンドルの操作感覚を改善できる。また、２つのアームのそれぞれが、クランク形状を有するので、アームの長さを効率的に長くできる。また、アームの長さが効率的に長くなるので、開口に占める押釦ハンドルの面積を広くできる。また、開口に占める押釦ハンドルの面積が広くなるので、押釦ハンドルを押しやすくできる。
【００５９】
壁部に穴部を設けるので、穴部にて枠を係止できる。また、壁部で第１突状爪部、第２突状爪部を覆うので、第１突状爪部、第２突状爪部に係止される化粧カバーを壁部にて保護できる。また、枠の係止および化粧カバーの保護に壁部を使用するので、壁部に２つの役割を持たせることができる。また、壁部が２つの役割を持つので、スイッチ用カバーにおける構成要素の配置を効率的にできる。また、枠および化粧カバーの取付部分の破損を防止しながら、サイズの増加を抑制できる。また、破損の防止機能と、効率的な配置とを両立できる。また、穴部が、汎用の金属枠の突状部、突起部に合わせて配置されるので、汎用の金属枠を使用できる。また、汎用の金属枠が使用されるので、枠の強度を増加できる。また、汎用の金属枠が使用されるので、製造コストの上昇を抑制できる。
【００６０】
また、第１突状爪部、第２突状爪部を連結壁部によって取り囲むので、上下方向からの衝撃に対してもスイッチ用カバーを保護できる。また、第１突状爪部、第２突状爪部は、化粧カバーに形成された弾性片を係止するので、汎用的な化粧カバーを使用できる。また、汎用的な化粧カバーが使用されるので、製造コストの上昇を抑制できる。また、スイッチ用カバーを前面から見て、突起部からずれた位置に第１突状爪部、第２突状爪部７８が設けられるので、スイッチ用カバーの厚みを薄くすることができる。
【００６１】
（実施例２）
実施例２は、実施例１と同様に、遠隔監視制御システムに含まれる操作端末器のスイッチ用カバーに関する。実施例２は、実施例１と比較して、２つのアームの形状が異なる。ここでは、実施例１との差異を中心に説明する。
【００６２】
図１５は、本発明の実施例２に係るスイッチ用カバー４０を示す斜視図である。これは、実施例１における図４、図１０と比較可能なように示されている。図１５において、図４、図１０における符号と同一の符号を付した構成要素は、図４、図１０の対応する構成要素と同一の形状、機能を持つ。また、図１５に示した構成要素のうち、図４、図１０に示した構成要素と同一のものについては、符号を付していないこともある。開口２００は、突出部４８に設けられた開口縁部２１０によって形成されており、左右方向に長い長方形状を有する。開口縁部２１０の形状は、開口縁部９８の形状と同様であるので、ここでは説明を省略する。なお、図１０と同様に、図１５でも、説明を明りょうにするために、開口縁部２１０を斜線部分にて示す。
【００６３】
各開口２００には、押釦ハンドル２０２が配置される。そのため、４つの押釦ハンドル２０２は、突出部４８の前面に上下方向に並べて配置される。押釦ハンドル２０２は、後述する第１アーム２０４、第２アーム２０６との連結を除いて、押釦ハンドル８８と同様に構成される。押釦ハンドル２０２と第１アーム２０４、第２アーム２０６との連結をさらに詳しく説明するために、図１６も使用する。図１６は、スイッチ用カバー４０の一部を示すＣ−Ｃ’方向の断面図である。押圧部２０８は、押釦ハンドル２０２の後面の中央部から後方に突設され、スイッチ本体１２に対向する。
【００６４】
開口２００を形成している上下左右の４つの棒状の領域のうち、上側の領域が第１縁部２１２と定義され、下側の領域が第２縁部２１４と定義される。第１縁部２１２と第２縁部２１４とは、互いに対向して配置される。第１アーム２０４は、第１縁部２１２の裏面から延設されて押釦ハンドル２０２に連結する。第１アーム２０４は、Ｕ字形状を有する。
【００６５】
第１アーム２０４は、第１縁部２１２の左右方向の中央部分であって、かつ図１５での斜線部分の後面から後方へ延びてから、半円の円弧状に湾曲し、前方へ延びる。さらに、第１アーム２０４は、押釦ハンドル２０２の後面に到達する。このような形状の第１アーム２０４も、第１アーム９０と同様に、第１縁部２１２から押釦ハンドル２０２までの間を迂回することによって、押釦ハンドル２０２の上縁と第１縁部２１２との最短距離よりも長くなる形状を有する。
【００６６】
第２アーム２０６は、第２縁部２１４と押釦ハンドル２０２との間で、押釦ハンドル２０２の前面の中心を軸として、第１アーム２０４の略回転対称となる位置に配置される。ここでも、開口２００、押釦ハンドル２０２、第１アーム２０４、第２アーム２０６は、一体成形されている。
【００６７】
本発明の実施例によれば、２つのアームが押釦ハンドルの押操作の方向に延びた形状を有するので、各アームの幅を広くできる。また、各アームの幅が広くなるので、アームの強度を向上できる。
【００６８】
（実施例３）
実施例３は、実施例１、２と同様に、遠隔監視制御システムに含まれる操作端末器のスイッチ用カバーに関する。これまでのスイッチ用カバーは、２つのアームを備えている。一方、実施例３に係るスイッチ用カバーは、１つのアームを備えている。実施例１、２で示したように、２つのアームを使用することによって操作性が向上するが、実施例３では、１つのアームの使用によっても、操作性を損なわない構造を提供する。以下では、アームが１つである場合に一般的に操作性が悪化することを説明した後に、実施例３に係るスイッチ用カバーをこれまでとの差異を中心に説明する。
【００６９】
図１７は、本発明の実施例３の比較対象となるスイッチ用カバー３００を示す斜視図である。図１７において、図４、図１０に示した構成要素と同一のものについては、符号を付していないこともある。また、図１８は、スイッチ用カバー３００の一部を示すＤ−Ｄ’方向の断面図である。取付面３０２、突出部３０４、メンブレン３１４は、これまでの取付面４６、突出部４８、メンブレン１４６に対応する。また、開口３０６、押釦ハンドル３０８、押圧部３１２は、実施例２での開口２００、押釦ハンドル２０２、押圧部２０８に対応する。
【００７０】
アーム３１０は、押釦ハンドル３０８の上側に備えられており、押釦ハンドル３０８の下側には、アームが備えられていない。そのため、アーム３１０は、実施例２での第１アーム２０４に対応するが、実施例２での第２アーム２０６は、図１７に含まれない。つまり、比較技術として示すスイッチ用カバー３００は、実施例２に含まれた２つのアームを１つにした構成に相当する。
【００７１】
このような構成において、図１８に示されたメンブレン３１４を介して、押釦ハンドル３０８が前方から後方へ押操作される。ポイントＰ１はアーム３１０の近傍に位置するので、アーム３１０の存在によって、ポイントＰ１における押釦ハンドル３０８の前方から後方への移動が制限される。一方、ポイントＰ２は、ポイントＰ１よりもアーム３１０から離れた位置であるので、ポイントＰ２は、ポイントＰ１よりもアーム３１０の影響を受けにくい。そのため、ポイントＰ２における押釦ハンドル３０８の前方から後方への移動は、ポイントＰ１と比較して制限されない。その結果、押釦ハンドル３０８が前方から後方へ移動する場合、後方への移動距離が、ポイントＰ１とポイントＰ２との間で異なり、アーム３１０による回転運動によって、ポイントＰ１の角が立ってくる。図示のごとく、ポイントＰ１の前側にはメンブレン３１４が位置するので、ポイントＰ１において、押釦ハンドル３０８はメンブレン３１４に干渉する。この干渉によって、押釦ハンドル３０８の操作感が悪化する。
【００７２】
図１９は、本発明の実施例３に係るスイッチ用カバー４０を示す斜視図であり、図２０は、スイッチ用カバー４０の一部を示すＥ−Ｅ’方向の断面図である。ここでは、図１７、図１８と比較しながら説明する。開口４００は、突出部４８に設けられた開口縁部４１０によって形成される。開口縁部４１０の形状は、開口縁部９８、開口縁部２１０の形状と同様であるので、ここでは説明を省略する。なお、図１９でも、説明を明りょうにするために、開口縁部４１０を斜線部分にて示す。
【００７３】
また、押釦ハンドル４０２の前面４０８は、断面図における下側の部分において直線的な形状を有するが、上側の部分においてカーブ形状を有する。カーブ形状は、上に行くほど後方へ向かうように形成されている。なお、図２０のごとく、前面４０８を覆設するためのメンブレン１４６が設けられるので、前面４０８は、押釦ハンドル４０２にアーム４０４が連結される位置に近づくほどメンブレン１４６から離れる形状となる。このような押釦ハンドル４０２、開口縁部４１０、前面４０８も、一体成形されている。
【００７４】
このような構成において、比較対象の場合と同様に、図２０に示されたメンブレン１４６を介して、押釦ハンドル４０２が前方から後方へ押操作される。押釦ハンドル４０２が前方から後方へ移動する場合、後方への移動距離が、ポイントＰ１とポイントＰ２との間で異なり、アーム４０４による回転運動によって、ポイントＰ１の角が立ってくる。ポイントＰ１での押釦ハンドル４０２とメンブレン１４６との距離は、比較対象と比べて、長くなっているので、ポイントＰ１における押釦ハンドル４０２とメンブレン１４６との干渉は低減される。干渉の低減によって、押釦ハンドル４０２の操作感が改善される。
【００７５】
本発明の実施例によれば、押釦ハンドルの前面が、アームが連結される位置に近づくほどメンブレンから離れるので、アームが１つでも、押釦ハンドルを押し下げた場合のメンブレンと押釦ハンドルとの干渉を低減できる。また、メンブレンと押釦ハンドルとの干渉が低減されるので、押釦ハンドルの操作感覚を改善できる。また、アームが１つになるので、製造コストを低減できる。
【００７６】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００７７】
本発明の実施例１乃至３において図４をもとに、方向が規定されている。しかしながらこれに限らず例えば、相対的な位置関係が維持されているならば、方向は任意でもよい。一例として、これまで使用した「前方」が、「上方」とされてもよい。その場合、これまでの「前面」あるいは「正面」は、「上面」とされる。本変形例によれば、方向を任意に規定できる。
【００７８】
本発明の実施例１乃至３において、操作端末器５１０は、遠隔監視制御システム５００に含まれる。しかしながらこれに限らず例えば、操作端末器５１０は、遠隔監視制御システム５００に含まれず、通常の電灯等のスイッチとして使用されてもよい。その場合、回路ブロック２の構成が異なるが、公知の技術が使用されればよい。本変形例によれば、スイッチ用カバー４０の適用範囲を拡大できる。
【００７９】
本発明の実施例１乃至３において、第１突状爪部７６、第２突状爪部７８は、化粧カバー８の弾性片１４８を係止するために、突出側面５０に突設されている。しかしながらこれに限らず例えば、化粧カバー８の弾性片１４８を係止するため係止部は、第１突状爪部７６、第２突状爪部７８ではなく、突出側面５０に設けられた穴部であってもよい。当該穴部に弾性片１４８が挿入されることによって、スイッチ用カバー４０に化粧カバー８が係止される。本変形例によれば、設計の自由度を向上できる。
【００８０】
本発明の実施例１乃至３において、開口８６、開口２００、開口４００は、長方形状を有しているので、それに合わせて押釦ハンドル８８、押釦ハンドル２０２、押釦ハンドル４０２も長方形状を有している。しかしながらこれに限らず例えば、これらは長方形状以外の形状を有していてもよい。そのような形状の一例は、円形状である。開口８６、開口２００、開口４００が円形状である場合、互いに対向した第１縁部と第２縁部とは、互いに重複しない半円周を含む領域として定義される。本変形例によれば、さまざまな形状の押釦ハンドルを使用できる。
【００８１】
本発明の実施例１乃至３において、押釦ハンドル８８、押釦ハンドル２０２、押釦ハンドル４０２の数は「４」とされている。しかしながらこれに限らず例えば、押釦ハンドル８８、押釦ハンドル２０２、押釦ハンドル４０２の数は「４」以外の値、「３」、「５」等であってもよい。本変形例によれば、必要とされる数の押釦ハンドル８８、押釦ハンドル２０２、押釦ハンドル４０２を実装できる。
【００８２】
本発明の実施例１乃至３において、第１突状爪部７６、第２突状爪部７８は、スイッチ用カバー４０の側面において、第１壁部５２、第３壁部５６の前側縁から一部が露出して配置されている。しかしながらこれに限らず例えば、第１突状爪部７６、第２突状爪部７８は、スイッチ用カバー４０の側面において、第１壁部５２、第３壁部５６にすべて隠れるように配置されてもよい。本変形例によれば、取付面４６の厚みを薄くできる。
【００８３】
本発明の実施例１において、第１アーム９０、第２アーム９２は、第１縁部１００、第２縁部１０２の側面から延設されている。しかしながらこれに限らず例えば、第１アーム９０、第２アーム９２は、第１縁部１００、第２縁部１０２の裏面から延設されてもよい。本変形例によれば、設計の自由度を向上できる。
【００８４】
本発明の実施例１において、第１アーム９０、第２アーム９２は、クランク形状を有している。しかしながらこれに限らず例えば、第１アーム９０、第２アーム９２は、他の形状を有していてもよい。第１アーム９０は、第１縁部１００における押釦ハンドル８８の右端よりも右側の部分からほぼ垂直に下方へ延びてから、ほぼ垂直に左方向に屈曲し、第１縁部１００および押釦ハンドル８８の上縁の間をそれらに沿って延びる。また、第１アーム９０は、押釦ハンドル８８の左端よりも左側の部分でほぼ垂直に下方に屈曲し、押釦ハンドル８８の左側の縁部および押釦ハンドル８８の左縁の間をそれらに沿って延びる。さらに、押釦ハンドル８８の左端よりも上側の部分でほぼ垂直に右方に屈曲し、押釦ハンドル８８の左縁に到達する。第２アーム９２は、第１アーム９０に対応するように設けられる。本変形例によれば、第１アーム９０、第２アーム９２がさらに長くなるので、押釦ハンドルの押下げ幅をさらに拡大できる。
【符号の説明】
【００８５】
２  回路ブロック、  ４  ハウジング、  ６  枠、  ８  化粧カバー、  １０  プリント配線板、  １２  スイッチ本体、  １４  発光素子、  １６  受発光部、  ２０  ボディ、  ２２  結合片、  ２４  結合穴、  ２６  ねじ端子、  ２８  端子板、  ３０  端子ねじ、  ４０  スイッチ用カバー、  ４２  結合溝、  ４４  結合爪、  ４６  取付面、  ４８  突出部、  ５０  突出側面、  ５２  第１壁部、  ５４  第２壁部、  ５６  第３壁部、  ５８  第１穴部、  ６０  第２穴部、  ６２  第３穴部、  ６４  第１連結壁部、  ６６  第２連結壁部、  ６８  第３連結壁部、  ７０  第４連結壁部、  ７２  第５連結壁部、  ７４  第６連結壁部、  ７６  第１突状爪部、  ７８  第２突状爪部、  ８０  窓穴、  ８２  信号用隔壁、  ８４  第１導光部、  ８６  開口、  ８８  押釦ハンドル、  ９０  第１アーム、  ９２  第２アーム、  ９４  押圧部、  ９６  スイッチ操作部、  ９８  開口縁部、  １００  第１縁部、  １０２  第２縁部、  １１０  取付部、  １１２  ボックス穴、  １１４  引掛け穴、  １１６  プレート穴、  １１８  直付け穴、  １２０  枠本体、  １２２  開口、  １２４  突状部、  １２６  突起部、  １４０  カバー本体、  １４２  第２導光部、  １４４  信号用窓部、  １４６  メンブレン、  １４８  弾性片、  １７０  通信部、  １７２  制御部、  １７４  光通信部、  ５００  遠隔監視制御システム、  ５１０  操作端末器、  ５１２  制御端末器、  ５１４  伝送制御装置。
【図１】
2015176649.tif 000003
【図２】
2015176649.tif 000004
【図３】
2015176649.tif 000005
【図４】
2015176649.tif 000006
【図５】
2015176649.tif 000007
【図６】
2015176649.tif 000008
【図７】
2015176649.tif 000009
【図８】
2015176649.tif 000010
【図９】
2015176649.tif 000011
【図１０】
2015176649.tif 000012
【図１１】
2015176649.tif 000013
【図１２】
2015176649.tif 000014
【図１３】
2015176649.tif 000015
【図１４】
2015176649.tif 000016
【図１５】
2015176649.tif 000017
【図１６】
2015176649.tif 000018
【図１７】
2015176649.tif 000019
【図１８】
2015176649.tif 000020
【図１９】
2015176649.tif 000021
【図２０】
2015176649.tif 000022